(57)【特許請求の範囲】
【請求項１】
上部開口をシート材（２０）で封止してなる容器本体（１０）に、当該シート材を覆うオーバーキャップ（３０）を取り付けてなり、シート材を破ってオーバーキャップの振出口（３１）から内容物を取り出す振出口付容器であって、
オーバーキャップ（３０）は、振出口（３１）と開閉フラップ（３５）を備え、
開閉フラップ（３５）は、振出口を閉じる閉位置と、振出口を露出させた状態でオーバーキャップに係止される開位置との間で回動可能であって、開位置において、開閉フラップ（３５）は、オーバーキャップ上面よりも容器内側へ退避した凹所（３６）に位置し、
振出口（３１）は、オーバーキャップの天壁面に拡がる天壁開口部（３１ａ）と、周壁面に拡がる周壁開口部（３１ｂ）とからなり、周壁開口部を天壁開口部よりも幅狭にすることで振出量調整機構を構成しており、
シート材（２０）には、開封用の破り線が形成されていて、当該破り線は、シート材の周縁に沿って延在する周縁部（２１ａ）と、周縁部の両端からＳ字状に蛇行して容器内方へ延在するＳ字部（２１ｂ）と、互いに近づきながらさらに容器内方へと延在する内方延在部（２１ｃ）と、で構成されたことを特徴とする、振出口付容器。
【請求項２】
上記開封用の破り線（２１、２２、２３）は、均等の角度間隔を置いて３つ形成されていることを特徴とする、請求項１記載の振出口付容器。
【請求項３】
上記オーバーキャップ（３０）の内面において、天壁開口部（３１ａ）を囲み、シート材（２０）の表面近傍にまで突出する邪魔板を形成したことを特徴とする、請求項１または２記載の振出口付容器。
【請求項４】
上記開閉フラップ（３５）は、開位置において露出する内面がフラット面（３５ａ）で構成されていて、当該フラット面の端縁に補強リブ（３８）を設けたことを特徴とする、請求項１〜３のいずれか１つに記載の振出口付容器。
【発明の詳細な説明】
【技術分野】
【０００１】
本発明は、チョコレート菓子その他の食品等を収容する振出口付容器に関する。
【背景技術】
【０００２】
食品を収容し、上部開口をシート状の蓋材で封止した容器は、従来から種々知られており、例えば、特許文献１にもその一例が開示されている。シート状蓋材にはハーフカットが形成されていて、内容物を喫食する際には、指でハーフカット部を押し破り、これにより形成される開口から内容物を取り出す。
【０００３】
一方、喫食時における見た目の清潔感あるいはスマート感を考えるとき、シート状蓋を覆う樹脂製のオーバーキャップを設け、当該オーバーキャップに設けた振出口から内容物を取り出すことが考えられる。その場合、オーバーキャップの下方に位置するシート状蓋は、予め破り開けておく必要がある。
【０００４】
このような振出口付きのオーバーキャップを備えた容器を提供する場合、これを購入した消費者が、喫食時に、オーバーキャップを一旦容器本体から取り外し、シート状蓋を破り開け、再度オーバーキャップを取り付けて喫食するのであれば、それら一連の作業は面倒であり、この種容器の手軽さが減殺される。
【０００５】
【特許文献１】実開平６−３８２６号公報
【発明の開示】
【発明が解決しようとする課題】
【０００６】
本発明は上記事情に鑑みて創案されたものであり、その目的は、オーバーキャップを備えた食品容器であって、内容物を取り出して喫食するまでの一連の動作が簡便で、見た目の喫食動作もスマートな食品容器を提供することである。
【課題を解決するための手段】
【０００７】
本発明の振出口付容器は、次のような特徴を備える。すなわち、上部開口をシート材で封止してなる容器本体に、当該シート材を覆うオーバーキャップを取り付けてなり、シート材を破ってオーバーキャップの振出口から内容物を取り出す振出口付容器である。
オーバーキャップは、振出口と開閉フラップを備える。
開閉フラップは、「振出口を閉じる閉位置」と「振出口を露出させた状態でオーバーキャップに係止される開位置」との間で回動可能である。そして、開位置において、開閉フラップは、オーバーキャップ上面よりも容器内側へ退避した凹所に位置する。
振出口は、「オーバーキャップの天壁面に拡がる天壁開口部」と「周壁面に拡がる周壁開口部」とからなり、周壁開口部を天壁開口部よりも幅狭にすることで振出量調整機構を構成している。
シート材には、開封用の破り線が形成されている。この破り線は、「シート材の周縁に沿って延在する周縁部」と「周縁部の両端からＳ字状に蛇行して容器内方へ延在するＳ字部」と「互いに近づきながらさらに容器内方へと延在する内方延在部」とで構成されている。
上記開封用の破り線の本数は特に限定されない。例えば、１つだけ形成してもよいし、均等の角度間隔を置いて３つ形成してもよい。
【発明の効果】
【０００８】
上記構成を備えた本発明の振出口付容器においては、オーバーキャップに設けた開閉フラップは、開位置において、オーバーキャップ上面よりも容器内側へ退避した凹所に位置する。これは、容器本体を手に持って、消費者が自らの口を振出口に当てがって喫食する際に好都合である。つまり、消費者の鼻頭の逃げ位置が確保され、喫食時に鼻頭をオーバーキャップ上面にぶつけることなく、快適に喫食できる。見た目にもスマートである。
【０００９】
振出口を構成する周壁開口部を天壁開口部よりも幅狭にすることで振出量調整機構を構成しているので、消費者は、喫食時の振出量を調整して、快適に喫食できる。また、振り出される内容物が大きく飛び跳ねるのを抑止できるので、誤燕（すなわち、飛び跳ねた内容物を誤って喉に詰めること）を有効に防止することもできる。
【００１０】
また、オーバーキャップの開閉フラップを開けて現れる振出口から、指を押し込む等して、シート材上の破り線を押し破ることができる。破り線が等間隔で３つ形成されている場合には、適宜の破り線を１つ選択して、これを押し破ればよい。つまり、オーバーキャップを取り外すことなく回転スライドさせて、破り線を１つ適宜選択し、簡単にシート材を破断開封できる（なお、オーバーキャップを取り外して、シート材上の破り線を押し破ることも勿論可能である）。
しかも、シート材に形成した各破り線は、「周縁部」と「Ｓ字部」と「内方延在部」とで構成しているので、容器が不用意に落下した場合における耐破断性が向上する。
【発明を実施するための最良の形態】
【００１１】
本発明の実施形態を添付の図面を参照して以下に詳細に説明する。
【００１２】
≪容器の全体構成≫
図１は、本発明の一実施形態に係る振出口付容器を示す分解斜視図である。振出口付容器は、上部の開口をシート材２０で封止してなる容器本体１０と、シート材２０を覆うようにして容器本体１０に取り付けられるオーバーキャップ３０とから構成される。
容器本体１０内に、チョコレートその他の食品類が収容されていて、シート材２０には破断開封用の破り線２１、２２、２３が形成されている。詳しくは後述するようにして、オーバーキャップの振出口３１から内容物を取り出し喫食する。
【００１３】
≪オーバーキャップの構成≫
オーバーキャップ３０は、振出口３１と開閉フラップ３５を備える。図２（ａ）〜（ｃ）に示したように、開閉フラップ３５は、振出口を閉じる閉位置と、振出口を露出させた状態でオーバーキャップに係止される開位置との間で回動可能である。
図２（ａ）は、オーバーキャップ３５が閉位置にある状態を、図２（ｃ）は、オーバーキャップ３５が開位置にある状態を、それぞれ示している。図２（ｂ）は、その中間状態を示している。
図２（ｃ）の開位置において、開閉フラップ３５は、オーバーキャップ上面よりも容器内側へ退避した凹所３６に位置する。凹所を規定する壁面に係止リブ３７が形成されている。係止リブ３７は図中には１つしか現れないが、対向壁面にも同様の係止リブが形成されていて、２つの係止リブ３７間に挟持されて、開閉フラップ３５は、図２（ｃ）の開位置に係止される。
なお、図示していないが、同様の機構を利用して、開閉フラップ３５は、図２（ａ）の閉位置に係止される。
【００１４】
≪振出量調整機構による誤燕防止≫
図２（ｂ）に部分的に拡大して示したように、振出口３１は、天壁開口部３１ａと周壁開口部３１ｂとで構成されている。すなわち、天壁開口部３１ａは、オーバーキャップ３０の天壁面３０ａに拡がる部分で、周壁開口部３１ｂはオーバーキャップ３０の周壁面３０ｂに拡がる部分である。両者が一体となって、１つの振出口３１を構成する。
そして、周壁開口部３１ｂの全幅（Ｗｂ）を、天壁開口部３１ａの全幅（Ｗａ）よりも小さく構成するとともに、天壁開口部３１ａとの連結部に天壁面３０ａを残した形状としている（図２（ｂ）中に３０ａ'で示した部分）。その結果、周壁開口部３１ｂは、周壁面３０ｂを部分的に切り欠いた如き構成となり、これにより消費者は、喫食時の振出量を調整することができる。また、振り出される内容物が大きく飛び跳ねるのを抑止できるので、誤燕（すなわち、飛び跳ねた内容物を誤って喉に詰めること）を有効に防止できる。
【００１５】
≪シート材に形成した破り線≫
図３は、シート材に形成した破断開封用の破り線２１、２２、２３を示している。均等の角度間隔を置いて、３つの破り線が形成されている（なお、破り線は、必ずしも複数設ける必要はなく、例えば、破り線を１本だけ形成して、この１本の破り線にオーバーキャップの振出口を回転位置合わせさせるような構成としてもよい）。
各破り線の構成は同一なので、破り線２１についてのみ説明する。
破り線２１は、「シート材２０の周縁に沿って延在する周縁部２１ａ」と「周縁部２１ａの両端からＳ字状に蛇行して容器内方へ延在するＳ字部２１ｂ」と「互いに近づきながらさらに容器内方へと延在する内方延在部２１ｃ」とで構成されている。
【００１６】
１つの破り線２１を、異なる３つの部分「周縁部２１ａ」「Ｓ字部２１ｂ」「内方延在部２１ｃ」で構成しているのは、以下に説明する通り、不用意な落下時における耐破断性を高める（強度を高める）意味がある。
（ａ）周縁部２１ａ
周縁部２１ａは、シート材２０の周縁に沿って延在している。したがって、容器が落下して床面から上方へと容器フランジ部に衝撃が加わる場合、周縁部２１ａには、圧縮力が作用する（矢印ａ）。つまり、周縁部２１ａを引き裂く方向に大きな力が作用することはない。
このように、周縁部２１ａは、破断が生じにくい箇所であるため、緩やかにカーブするほぼ直線状のミシン目状とし、ミシン目間の刃止メの幅を比較的大きくすることで破断が生じ難くなる工夫をしている。
（ｂ）Ｓ字部２１ｂ
容器の落下時に、Ｓ字部２１ｂに対しては、両外側へと引き裂くように力が作用する（矢印ｂ）。この部分を直線状に構成すると、ここで破断が生じ易くなる。これを防止するため、Ｓ字状に蛇行するミシン目とし、破断が生じ難くなる工夫をしている。
（ｃ）内方延在部２１ｃ
内方延在部２１ｃは、Ｓ字部２１ｂから破断の進行を、容器中心側へと導く案内線の役割を果たす。
【００１７】
≪破り線の構成例≫
破り線は、シート材２０を上方から指等で押圧した場合に、これに沿ってシート材２０を破断開封させるための線である。破り線の具体的構成は問わないが、他の部分に比べて強度が弱くなっており、押圧下で、当該線に沿って破断が進むものであればよい。
内容物の性質に応じて、ハーフカット、ミシン目等を採用することができる。内容物が湿気を嫌い、したがって密封する必要のある場合は、貫通孔の存在しないハーフカットを採用する。
【００１８】
例えば、シート材として、外表面から「基材層」「アルミ層」「ヒートシール層」の３層を積層構造として有する場合、最も外側の「基材層」のみを貫通するハーフカットを形成する。これにより、シート材全体としては密封性を損なわずに、破り線が構成される。
密封性が必要ない場合には、シート材全体を貫通する貫通切目を断続的に形成してなるミシン目を、破り線として採用してもよい。
【００１９】
≪使用態様≫
次に、本発明の振出口付容器の喫食時における使用態様を説明する。
（１）まず、開閉フラップ３５を開ける。そこに現れた振出口３１から、内部のシート材表面を見ながら、オーバーキャップ３０を回転させて、適当な破り線２１、２２、２３（３つのうちの適当な１つ）に対して振出口３１を位置合わせする。
（２）振出口３１から指を挿入して、破り線を押圧破断し、シート材２０に破断開口部を形成する。このため、各破り線２１、２２、２３は、振出口３１の輪郭にほぼ等しい形状をもって形成しておくことが好ましい。
（３）内容物を振出口３１から取り出して食べる。このとき、開閉フラップ３５は、必ずしも凹所３６内に固定する必要はないが、容器本体１０を手で持ち振出口３１を口に当てがい喫食する場合には、凹所３６内に退避固定しておくことが好ましい。
【００２０】
≪喫食時のスマートさと清潔感≫
本発明の振出口付容器で喫食する場合、オーバーキャップを取り外し、シート材上の破り線を押し破って喫食することや、あるいは、振出口３１から掌に内容物を振り出して、これを口へと運ぶことも可能である。しかし、本発明では、容器本体１０を手で持って振出口３１を口に当てがって喫食するスタイルを主眼において、振出口付容器を構成している。
例えば、パソコン操作をしながらチョコレート菓子を食べる場合、チョコで手を汚すと作業が中断されるので、容器本体を手で持って内容物を直接口内に振り出す方が好都合である。しかも、見た目においても、まるでドリンクを飲んでいるかのようなスマートなスタイルで喫食できる。手が汚れないので、清潔である。
【００２１】
≪凹所３６の利点≫
このような喫食スタイルを考えると、図２（ｃ）に示した開位置にあるとき、開閉フラップ３５がオーバーキャップ上面よりも容器内側へ退避した凹所３６内に固定されることは有利である。これにより、消費者の鼻頭の逃げ位置が確保され、喫食時に鼻頭をオーバーキャップ上面にぶつけることなく、快適に喫食できる。
開閉フラップ３５が開位置に固定されている場合に露出する内面は、これをフラット面３５ａとして構成することが好ましい。これにより、当該内面に鼻頭が接触した場合でも不快感を与えることがない。また、図示の例では、フラット面３５ａの端縁を肉厚にして補強リブ３８を構成し、強度を高めている。
【００２２】
≪邪魔板≫
オーバーキャップ３０の内面には、振り出される内容物の停滞を防止する邪魔板を設けることが好ましい。この邪魔板は、天壁開口部３１ａを囲む壁状体であって、オーバーキャップ内面からシート材２０の表面近傍にまで突出する。
このような邪魔板を設けることで、振出口３１から出た内容物が「シート材２０」と「オーバーキャップ３０」との間の空間に入り込んで停滞するのを防止でき、これにより、喫食動作がよりスマートなものとなる。
【図面の簡単な説明】
【００２３】
【図１】本発明の一実施形態に係る振出口付容器を示す分解斜視図。
【図２】図１の振出口付容器に取り付けるオーバーキャップの動作を説明する図。
【図３】図１の振出口付容器に使用するシート材を説明する平面図。
【符号の説明】
【００２４】
１０  容器本体
２０  シート材
２１、２２、２３  破り線
２１ａ  周縁部
２１ｂ  Ｓ字部
２１ｃ  内方延在部
３０  オーバーキャップ
３０ａ  天壁面
３０ｂ  周壁面
３１  振出口
３１ａ  天壁開口部
３１ｂ  周壁開口部
３５  開閉フラップ
３６  凹所
３７  係止リブ
３８  補強リブ
【図１】
0005042809.tif 000002
【図２】
0005042809.tif 000003
【図３】
0005042809.tif 000004